(57)【要約】  【課題】  操作性に優れた表示装置、撮像手段を提供する。  【解決手段】  デジタルカメラ１０は、複数の表示パターンを選択的に表示し、複数の動作モードを有する液晶モニタ１１と、ユーザーにより１秒より短い期間押下される短時間押下と、１秒より長い期間押下される長時間押下と、を受け付ける表示切替釦１５と、表示切替釦１５が短時間押下を受け付けるごとに、液晶モニタ１１の表示パターンを切り替えるように、制御する一方、表示切替釦１５が長時間押下を受け付けるごとに、液晶モニタ１１の動作モードを切り替えるように、制御するコントローラ１９と、を備える。【選択図】  図２
2006033565.tif 000002
【特許請求の範囲】
【請求項１】
複数の表示パターンを選択的に表示し、複数の動作モードを有する表示手段と、
ユーザーにより所定時間より短い期間操作される短時間操作と、ユーザーにより前記所定時間より長い期間操作される長時間操作と、を受け付ける操作手段と、
前記操作手段が前記短時間操作を受け付けるごとに、前記表示手段の表示パターンを切り替えるように、制御する一方、
前記操作手段が前記長時間操作を受け付けるごとに、前記表示手段の動作モードを切り替えるように、制御する制御手段と、
を備える表示装置。
【請求項２】
前記制御手段は、前記短時間操作による表示パターンの切り替えがＭ回繰り返されると元の表示パターンに戻るように、制御する一方、前記長時間操作による動作モードの切り替えがＮ回（Ｎ＜Ｍ）繰り返されると元の動作モードに戻るように、制御することを特徴とする表示装置。
【請求項３】
画像を撮像する撮像モードと画像を再生する再生モードとを有する撮像装置であって、
画面の明るさが相対的に明るい第１モードと画面の明るさが相対的に暗い第２モードとを有する表示手段と、
ユーザーの指示を受ける操作手段と、
前記第１モードにおいて、前記撮像モードでは、前記操作手段が所定時間以上ユーザーの指示を受けないとき、前記表示手段の明るさを暗くする一方、前記再生モードでは、前記操作手段が前記所定時間以上ユーザーの指示を受けないときであっても、前記表示手段の明るさを変えないよう制御する制御手段と、
を備える撮像装置。
【請求項４】
画像を撮像する撮像モードを有する撮像装置であって、
画面の明るさが相対的に明るい第１モードと画面の明るさが相対的に暗い第２モードとを有する表示手段と、
前記第１モードと前記第２モードとを切り替えることについて、ユーザーの指示を受ける第１操作手段と、
前記第１モードと前記第２モードとを切り替えること以外について、ユーザーの指示を受ける第２操作手段と、
前記第１モードにおいて、前記撮像モードで、前記操作手段が所定時間以上ユーザーの指示を受けないとき、前記表示手段の明るさを暗くし、さらに、前記表示手段が暗くなった後、第１操作手段または第２操作手段がユーザーの指示を受けたとき、前記表示手段の明るさを明るい状態に戻すよう制御する制御手段と、
を備える撮像装置。
【発明の詳細な説明】
【技術分野】
【０００１】
本発明は、表示手段の表示パターンと動作モードとを切り替えることができるデジタルカメラ等の表示装置に関する。
【背景技術】
【０００２】
例えば、特許文献１には、「画像データと情報表示をを合成してモニタ表示する」、「画像データのみを表示する」「液晶モニタをＯＦＦ状態にする」からなる液晶モニタの表示状態をサイクリックに切り替えるための押し釦であるモニタ釦について開示されている。
【０００３】
この釦を用いれば、簡単な操作で表示面を一度に切り替えることができるので、ユーザーにとって便利である。
【特許文献１】特開平１１−２６１８５２号公報（特に、段落００２９参照）
【発明の開示】
【発明が解決しようとする課題】
【０００４】
本発明の目的は、さらに操作性に優れた表示装置または撮像装置を提供することにある。
【課題を解決するための手段】
【０００５】
上記目的を達成するために、本発明の表示装置は、複数の表示パターンを選択的に表示し、複数の動作モードを有する表示手段と、ユーザーにより所定時間より短い期間操作される短時間操作と、ユーザーにより前記所定時間より長い期間操作される長時間操作と、を受け付ける操作手段と、前記操作手段が前記短時間操作を受け付けるごとに、前記表示手段の表示パターンを切り替えるように、制御する一方、前記操作手段が前記長時間操作を受け付けるごとに、前記表示手段の動作モードを切り替えるように、制御する制御手段と、を備える。このように構成することにより、操作手段の操作時間によりその機能を区分するようにしたため、１つの操作手段に多機能を付加することができるので、簡単な構成で操作性のよい表示装置を実現できる。特に、短時間操作に使用頻度の高い表示パターンの切り替えという機能を割り当て、長時間操作に使用頻度の低い動作モードの切り替えという機能を割り当てることにより、操作性をさらに向上することができる。
【０００６】
また、制御手段は、前記短時間操作による表示パターンの切り替えがＭ回繰り返されると元の表示パターンに戻るように、制御する一方、前記長時間操作による動作モードの切り替えがＮ回（Ｎ＜Ｍ）繰り返されると元の動作モードに戻るように、制御するようにしてもよい。この構成により、多回数の操作が必要な操作を短時間に行うことができるため、さらに操作性を向上できる。
【０００７】
また、本発明の撮像装置は、画像を撮像する撮像モードと画像を再生する再生モードとを有する撮像装置であって、画面の明るさが相対的に明るい第１モードと画面の明るさが相対的に暗い第２モードとを有する表示手段と、ユーザーの指示を受ける操作手段と、前記第１モードにおいて、前記撮像モードでは、前記操作手段が所定時間以上ユーザーの指示を受けないとき、前記表示手段の明るさを暗くする一方、前記再生モードでは、前記操作手段が前記所定時間以上ユーザーの指示を受けないときであっても、前記表示手段の明るさを変えないよう制御する制御手段と、を備える。この構成により、表示装置の省エネを図りつつ、表示手段が操作中に暗くなるなどの不便が生じることを防ぐことができるため、操作性がよい。
【０００８】
また、本発明の撮像装置は、画像を撮像する撮像モードを有する撮像装置であって、画面の明るさが相対的に明るい第１モードと画面の明るさが相対的に暗い第２モードとを有する表示手段と、前記第１モードと前記第２モードとを切り替えることについて、ユーザーの指示を受ける第１操作手段と、前記第１モードと前記第２モードとを切り替えること以外について、ユーザーの指示を受ける第２操作手段と、前記第１モードにおいて、前記撮像モードで、前記操作手段が所定時間以上ユーザーの指示を受けないとき、前記表示手段の明るさを暗くし、さらに、前記表示手段が暗くなった後、第１操作手段または第２操作手段がユーザーの指示を受けたとき、前記表示手段の明るさを明るい状態に戻すよう制御する制御手段と、を備える。この構成により、表示装置の省エネを図りつつ、簡単な操作で直ぐに表示手段の明るさを元の明るい状態にできるので、操作性がよい。
【発明の効果】
【０００９】
上述の本発明によれば、広範囲を撮影できる。また、高解像度で撮影が可能である。さらに、動きのある被写体の撮影も容易にできる。
【発明を実施するための最良の形態】
【００１０】
（実施の形態）
図１は、本発明の実施の形態にかかるデジタルカメラ１０の背面図である。デジタルカメラ１０は、液晶モニタ１１、表示切替釦１５を有する。図示するように、シャッタ釦１２、メニュー釦１３、カーソルキー１４を設けてもよい。
【００１１】
液晶モニタ１１は、撮像画像や各種情報を表示する。この各種情報には、撮像画像に関する情報やデジタルカメラの動作状態を示す情報が含まれる。撮像画像に関する情報とは、例えば、ホワイトバランスに関する情報、ＩＳＯ感度に関する情報、画質情報などである。また、デジタルカメラの動作状態を示す情報とは、例えば、電池残量情報、省エネモードの動作状況を示す情報、操作音の設定に関する情報等である。
【００１２】
液晶モニタ１１は、通常の明るさのモード（以下、通常モードという）と通常よりも明るいモード（以下、パワーモード）との２つの動作モードを有する。通常モードでは、パワーモードに比べて、液晶モニタ１１の画面は相対的に暗く、パワーモードでは、通常モードに比べて、液晶モニタ１１の画面は相対的に明るい。液晶モニタ１１は、パワーモード時において、液晶モニタ１１のバックライトの発光が大きくなることにより、明るくなる。バックライトとしては、蛍光灯や白色ＬＥＤやその他の発光デバイスを用いることができる。液晶モニタ１１がパワーモードになると、液晶モニタ１１の画面が通常よりも明るくなるため、ユーザーは屋外でも液晶モニタに表示される画像を見やすくなる。
【００１３】
表示切替釦１５は、ユーザーにより所定時間より短い期間操作される短時間操作と、ユーザーにより所定時間より長い期間操作される長時間操作と、を受け付ける操作手段である。ユーザーが表示切替釦１５を１秒より短い時間だけ押下すると（以下、この押下を短時間押下という）、液晶モニタ１１に表示される表示パターンを切り替えることができる。一方、ユーザーが表示切替釦１５を１秒より長い期間押下すると（以下、この押下を長時間押下という）、液晶モニタ１１の明るさを変えることができる。すなわち、液晶モニタ１１が通常モードで動作しているとパワーモードで動作するよう切り替えられ、パワーモードで動作していると通常モードで動作するよう切り替えられる。
【００１４】
ここで、表示パターンとは、液晶モニタ１１に表示される情報の種類やそれらの配置をいう。
【００１５】
シャッタ釦１２は、デジタルカメラ１０による撮像を開始させるための手段である。メニュー釦１３は、各種設定をするためのメニューを液晶モニタ１１に表示させるための釦である。カーソルキー１４は、液晶モニタ１１に表示されるカーソルを移動させるための釦である。
【００１６】
図２に本発明の実施の形態にかかるデジタルカメラ１０の構成を示す。
【００１７】
撮像手段１６は、被写体を撮像して画像データを生成する。画像処理手段１７は、撮像された画像データにホワイトバランス処理や拡大処理、間引き処理、圧縮処理等を選択的に施して、液晶モニタ１１やメモリーカード１８に出力する。また、画像処理手段１７は、メモリーカード１８に記憶された画像データを伸張処理等を施して液晶モニタ１１に出力等をする。メモリーカード１８は、撮像手段１６で撮像された画像データやデジタルカメラ１０の外部から取得した画像データを記憶する手段である。メモリーカード１８は、デジタルカメラ１０に着脱可能であり、フラッシュメモリ等から構成するようにしてもよい。記憶手段２０は、液晶モニタ１１に表示される表示パターン等を記憶し、適宜コントローラのデータを供給する。記憶手段２０は、ＤＲＡＭやＳＲＡＭ、フラッシュメモリー等の半導体メモリで構成してもよい。
【００１８】
コントローラ１９は、シャッタ釦１２、メニュー釦１３、カーソルキー１４、表示切替釦１５等の指示を受けて、液晶モニタ１１、撮像手段１６、画像処理手段１７、メモリーカード１８、記憶手段２０等のデジタルカメラ１０のシステム全体を制御する。コントローラ１９は、マイコン等で構成される。
【００１９】
コントローラ１９は、画像を撮像する撮像モードと画像を再生する再生モードとを有する。撮像モード時には、コントローラ１９は、撮像手段１６で撮像された画像を液晶モニタ１１で表示するように制御する。一方、再生モード時には、メモリーカード１８に記憶された画像を液晶モニタ１１に表示するように制御する。
【００２０】
コントローラ１９は、表示切替釦１５が短時間押下を受け付けるごとに、液晶モニタ１１の表示パターンを切り替えるように、制御する。一方、コントローラ１９は、表示切替釦１５が長時間押下を受け付けるごとに、液晶モニタ１１の動作モードを切り替えるように、制御する。このように、表示切替釦１５の押下時間によりその機能を区分するようにしたため、１つの操作手段に多機能を付加することができるので、簡単な構成で操作性のよい表示装置を実現できる。特に、短時間押下に使用頻度の高い表示パターンの切り替えという機能を割り当て、長時間押下に使用頻度の低い動作モードの切り替えという機能を割り当てるため、操作性をさらに向上できる。
【００２１】
また、コントローラ１９は、短時間押下による表示パターンの切り替えが３回または４回繰り返されると元の表示パターンに戻るように、制御する一方、長時間押下による動作モードの切り替えが２回繰り返されると元の動作モードに戻るように、制御する。表示パターンは、動作モードに比べて、多くの操作をして初めて元に戻るものであるため、短時間押下で切り替えることができるようにしたのである。これを逆にして、長時間押下により３回または４回で一巡する表示パターンを切り替え、短時間押下により２回で一巡する動作モードを切り替えるよう制御したのでは、ユーザーは表示パターンの切り替えに手間取ってしまい非常に不便である。このように、コントローラ１９が、短時間押下による表示パターンの切り替えが４回繰り返されると元の表示パターンに戻るように、制御する一方、長時間押下による動作モードの切り替えが２回繰り返されると元の動作モードに戻るように、制御することにより、多回数の操作が必要な操作を短時間に行うことができるため、さらに操作性を向上できる。
【００２２】
また、コントローラ１９は、撮影モード時において、液晶モニタ１１がパワーモードになると、液晶モニタ１１が明るくなってから３０秒が経過すると、自動的に通常の明るさに戻るように制御する。このようにすることで、デジタルカメラ１０の省エネを図ることができるため、例えば、電池（図示省略）の消費を抑えること等を実現できる。ここで、デジタルカメラ１０が撮影モードにあるにも関わらず、３０秒以上も何らの操作もされないのは、ユーザーが撮影を意図しておらず、液晶モニタ１１を見ていない可能性が高いため、このような場合に液晶モニタ１１の明るさを通常の明るさにしたとしても、ユーザーに何らの不便を感じさせることはない。一方、デジタルカメラ１０が再生モードの時には、長い時間再生画像を眺めておくことがあるため、３０秒以上何らの操作もされないからといって、液晶モニタ１１の明るさを通常の明るさにしたのでは、ユーザーが液晶モニタ１１を見ている可能性があり、ユーザーに不便を生じさせてしまうことになる。そのため、ユーザーの利便性を考慮して、液晶モニタ１１の明るさを３０秒以上で通常の明るさにする動作を撮影モード時に限ることにした。このように、コントローラ１９は、パワーモードにおいて、撮像モードでは、デジタルカメラ１０の操作手段が所定時間（例えば、３０秒）以上ユーザーの指示を受けないとき、液晶モニタ１１の明るさを暗くする一方、再生モードでは、デジタルカメラ１０の操作手段が所定時間（例えば、３０秒）以上ユーザーの指示を受けないときであっても、液晶モニタ１１の明るさを変えないよう制御するよう構成したため、デジタルカメラ１０の省エネを図りつつ、液晶モニタ１１が操作中に暗くなるなどの不便が生じることを防ぐことができるため、操作性がよい。
【００２３】
さらに、コントローラ１９は、撮影モード時のパワーモードにおいて、液晶モニタ１１が自動的に通常の明るさに戻ってから、ユーザーによりいずれかの操作手段が操作されると、液晶モニタ１１が再び明るくなるように制御する。ここで、いずれかの操作手段とは、シャッタ釦１２、メニュー釦１３、カーソルキー１４、表示切替釦１５のいずれでもよく、また他の操作手段でもよい。つまり、通常モードとパワーモードとを切り替える表示切替釦１５に限らず、他の操作手段をユーザーが操作したときでも、液晶モニタ１１の明るさを元の明るさに戻すよう制御するのである。撮影モードでは、ユーザーは、何らかの操作手段を操作するとき、撮影したい、そのために液晶モニタ１１を見たいとの意図を有していると考えられるため、パワーモードにおいては、何らかの操作手段が操作されることによって液晶モニタ１１の明るさを元の明るい状態にする方が、ユーザーにとって便利であると考えられる。このように、パワーモードにおいて、撮像モードで、いずれの操作手段も所定時間以上ユーザーの指示を受けないとき、液晶モニタ１１の明るさを暗くし、さらに、液晶モニタ１１が暗くなった後、いずれかの操作手段がユーザーの指示を受けたとき、液晶モニタ１１の明るさを明るい状態に戻すよう制御することにより、デジタルカメラ１０の省エネを図りつつ、簡単な操作で直ぐに表示手段の明るさを元の明るい状態にできるので、操作性がよい。
【００２４】
ここで、液晶モニタ１１は本発明の表示手段の一例である。本発明の表示手段としては、他にも有機ＥＬモニタや無機ＥＬモニタ等も考えられる。液晶モニタ１１の通常モードおよびパワーモードは、本発明の動作モードの一例である。本発明の動作モードとしては、明るさを変えるモードの他にも、表示手段の色調を変えるモード等が考えられる。
【００２５】
また、表示切替操作釦１５は、本発明の操作手段または第１操作手段の一例であるが、本発明の操作手段または第１操作手段は押下釦に限らず、例えばスライドスイッチや回転式のダイヤルで構成してもよい。要するに、ユーザーにより所定時間より短い期間操作される短時間操作と、ユーザーにより所定時間より長い期間操作される長時間操作と、を受け付ける操作手段を設ければよい。したがって、操作方法も釦の押下には限定されない。また、１秒より短い時間の押下を短時間押下とし、１秒より長い時間の押下を長時間押下としたが、この１秒は本発明の所定時間の一例であり、特に限定はしない。短時間押下や長時間押下は、本発明の短時間操作や長時間操作の一例である。
【００２６】
コントローラ１９は、本発明の制御手段の一例である。また、表示パターンを３回または４回の短時間押下で元に戻るよう制御するとしたが、３回または４回は、本発明のＭ回の一例である。同様に、動作モードを２回の長時間押下で元に戻るよう制御するとしたが、２回は、本発明のＮ回の一例である。要するに、Ｍ回とＮ回との間にＮ＜Ｍの関係があればよい。
【００２７】
また、パワーモードは本発明の第１モードの一例である。通常モードは本発明の第２モードの一例である。本発明の第１モードおよび第２モードはこれに限らず、第１モードが第２モードに比べて相対的に明るければよい。例えば、通常モードを第１モードとし、通常モードよりも暗い節電モード等を第２モードとしてもよい。
【００２８】
また、撮像モードでは、操作手段が３０秒以上ユーザーの指示を受けないとき、液晶モニタ１１の明るさを暗くするようにしたが、この３０秒は本発明の所定時間の一例であり、本発明の所定時間はこの時間には限らない。
【００２９】
また、シャッタ釦１２、メニュー釦１３、カーソルキー１４は、それぞれ本発明の第２操作手段の一例である。本発明の第２操作手段は、これに限らず、第１モードと第２モードとを切り替えること以外について、ユーザーの指示を受けるものであればよい。
【００３０】
また、デジタルカメラ１０は本発明の表示装置、撮像装置の一例である。本発明の表示装置は、他に携帯電話端末、カーナビゲーションシステム等であってもよい。本発明の撮像装置は、カメラ機能付き携帯電話端末やアナログカメラ等であってもよい。
【００３１】
図３は、撮像モードにおいて、液晶モニタ１１の表示パターンが切り替わる状況を示す模式図である。液晶モニタ１１が図３（ａ）に示す表示パターンにおいて、ユーザーが表示切替釦１５を１回だけ短時間押下すると、コントローラ１９の制御により、図３（ｂ）に示す表示パターンに切り替わる。ユーザーがさらに１回押下すると、図３（ｃ）に示す表示パターンに切り替わり、さらに１回押下することにより図３（ｄ）に示す表示パターンに切り替わり、さらに１回押下することにより図３（ａ）に示す表示パターンに切り替わる。このように、コントローラ１９は、短時間押下による表示パターンの切り替えが４回繰り返されると元の表示パターンに戻るように、制御する。つまり、表示パターンは、短時間押下４回で１周するように循環的に切り替わるのである。
【００３２】
図３において、表示Ｄ１は、電池残量情報や画質情報などの各種の情報である。表示Ｄ２は、横軸に画像の明るさ、縦軸にその明るさの画素数を積み上げたヒストグラムである。ユーザーは、撮像した画像のヒストグラムの形状（グラフの分布）を見ることによって、その画像の露出状況を判断することができる。表示Ｄ３は、撮像ガイドラインである。ユーザーは、被写体を縦横の交点上やライン上に配置すると、被写体の大きさや傾き、バランスを見ながら、構図を容易に決めることができる。表示Ｄ４はスルー画像である。スルー画像Ｄ４は表示Ｄ１〜Ｄ３の背景画像として表示される。ここで、スルー画像とは、撮像手段１６で撮像した画像をメモリーカード１８に記憶することなく、液晶モニタ１１に表示する画像である。撮像モード時にこのスルー画像を液晶モニタ１１に表示することにより、ユーザーは、最終的にメモリーカード１８に記憶する画像を撮像するための構図を容易に決めることができる。
【００３３】
図３（ａ）ではスルー画像Ｄ４の上に表示Ｄ１が表示された表示パターンとなり、図３（ｂ）ではスルー画像Ｄ４の上に表示Ｄ１およびヒストグラムＤ２が表示された表示パターンとなり、図３（ｃ）ではスルー画像Ｄ４の上の表示Ｄ１およびヒストグラムＤ２を消して、撮像ガイドラインＤ３が表示された表示パターンとなり、図３（ｄ）ではスルー画像Ｄ４のみが表示された表示パターンとなる。
【００３４】
なお、表示切替釦１５を１回長時間押下すると、上述したように、コントローラ１９の制御により、液晶モニタ１１はパワーモードになり、明るくなる。これは、液晶モニタ１１が図３中のどの表示モードを表示していても同様の動作をする。また、表示切替釦１５を再度１回長時間押下すると、液晶モニタ１１は、パワーモードから通常モードに切り替えられ、通常の明るさに戻る。このように、コントローラ１９は、長時間押下による動作モードの切り替えが２回繰り返されると元の動作モードに戻るように、制御する。つまり、動作モードは、長時間押下２回で１周するように循環的に切り替わるのである。
【００３５】
また、図３における動作は、撮像モードにおける動作なので、コントローラ１９は、液晶モニタ１１が明るいまま３０秒以上何ら操作されなかった場合には、液晶モニタ１１の明るさを通常の明るさにする。この制御も、液晶モニタ１１がどの表示パターンを表示しているときでも同様である。
【００３６】
図４は、再生モードにおいて、液晶モニタ１１の表示パターンが切り替わる状況を示す模式図である。液晶モニタ１１が図４（ａ）に示す表示パターンにおいて、ユーザーが表示切替釦１５を１回だけ短時間押下すると、コントローラ１９の制御により、図４（ｂ）に示す表示パターンに切り替わる。ユーザーがさらに１回押下すると、図４（ｃ）に示す表示パターンに切り替わり、さらに１回押下することにより図４（ａ）に示す表示パターンに切り替わる。このように、コントローラ１９は、短時間押下による表示パターンの切り替えが３回繰り返されると元の表示パターンに戻るように、制御する。つまり、表示パターンは、短時間押下３回で１周するように循環的に切り替わるのである。
【００３７】
図４において、表示Ｄ５は再生画像である。再生画像Ｄ５は表示Ｄ１およびＤ２の背景画像として表示される。ここで、再生画像とは、メモリーカード１８に記憶された画像を液晶モニタ１１に表示する画像である。
【００３８】
図４（ａ）では再生画像Ｄ５の上に表示Ｄ１が表示された表示パターンとなり、図４（ｂ）では再生画像Ｄ５の上に表示Ｄ１およびヒストグラムＤ２が表示された表示パターンとなり、図４（ｃ）では再生画像Ｄ５のみが表示された表示パターンとなる。このように、デジタルカメラ１０の動作モード（撮像モード、再生モード等）に応じて、液晶モニタ１１の表示パターンを変えることもできる。このようにすることで、デジタルカメラ１０の動作モードに応じた適切な表示画面を表示できる。上記に示したように、再生モードでは、撮像ガイドラインＤ３は不要であるため表示しない。そのため、短時間押下による表示パターンの循環を１回減らすことができ、ユーザーの操作をより容易にすることができる。
【００３９】
なお、表示切替釦１５を１回長時間押下すると、上述したように、コントローラ１９の制御により、液晶モニタ１１はパワーモードになり、明るくなる。これは、液晶モニタ１１が図４中のどの表示モードを表示していても同様の動作をする。また、表示切替釦１５を再度１回長時間押下すると、液晶モニタ１１は、パワーモードから通常モードに切り替えられ、通常の明るさに戻る。
【００４０】
また、図４における動作は、再生モードにおける動作なので、コントローラ１９は、液晶モニタ１１が明るいまま３０秒以上何ら操作されなかった場合でも、液晶モニタ１１の明るさを明るいまま維持する。この制御も、液晶モニタ１１がどの表示パターンを表示しているときでも同様である。
【産業上の利用可能性】
【００４１】
本発明の表示装置または撮像装置は、表示に関して操作性に優れているため、デジタルカメラのほかに、携帯電話端末やカメラ機能付き携帯電話端末、アナログカメラ等にも適用できる。
【図面の簡単な説明】
【００４２】
【図１】本発明の実施の形態のデジタルカメラ１０の背面図
【図２】本発明の実施の形態のデジタルカメラ１０の構成を示すブロック図
【図３】本発明の実施の形態のデジタルカメラ１０の撮像モード時の表示パターンの切り替え状況を示す模式図
【図４】本発明の実施の形態のデジタルカメラ１０の再生モード時の表示パターンの切り替え状況を示す模式図
【符号の説明】
【００４３】
１０  デジタルカメラ
１１  液晶モニタ
１５  表示切替釦
１９  コントローラ
【図１】
2006033565.tif 000003
【図２】
2006033565.tif 000004
【図３】
2006033565.tif 000005
【図４】
2006033565.tif 000006